(57)【要約】【課題】従来のウィップフィニッシャーのセンターフックは固定タイプであるので、センターフックを自在に伸縮して使えるウィップフィニッシャーを提供する。【解決手段】中空穴２を有する軸棒３の一方端部に、繰り出し穴９付き基部８を取り付け、その基部８に前記軸棒３に対して直角状にサイドフック１０付き針金１１を取り付けて成る前記基部８の繰り出し穴９に、一定の長さのセンターフック１２付き針金１１を出し入れ自在に組み合わせたフライ製作用のウィップフィニッシャー１とする。【選択図】図１
0003102263.tif 000002
【実用新案登録請求の範囲】
【請求項１】
釣り用のフライ製作に用いる加工具であって、中空穴を有する軸棒の一方寄りに回転つまみ管を取り付けた軸棒端部に、該軸棒に対して略直角状にサイドフック付き針金を取り付け、該サイドフック側の前記中空穴に繰り出し穴を有する基部を取り付けた前記繰り出し穴に、先端部にセンターフックを後端部に係止部を形成して成る針金を出し入れ自在に組み合わせた構成を特徴とするフライ製作用のウィップフィニッシャー。
【請求項２】
基部に設けた繰り出し穴が略長方形状とし、それに組み合わされるセンターフック付き針金の断面形状が、前記繰り出し穴に合う形状とする請求項１に記載するフライ製作用のウィップフィニッシャー。
【請求項３】
サイドフック付き針金を基部に取り付けて成る請求項１又は請求項２に記載するフライ製作用のウィップフィニッシャー。
【請求項４】
センターフック付き針金の係止部が、前記針金を曲げ形成して成る請求項１又は請求項３に記載するフライ製作用のウィップフィニッシャー。
【考案の詳細な説明】
【技術分野】
【０００１】  本考案は、フライフイッシングに用いるフライを製作する際に使用する伸縮式のウィップフィニッシャーに関する。
【背景技術】
【０００２】  従来、魚釣りにおいて、フライフイッシングに用いられるフライは、多くの場合釣り人自身が製作することが一般的であるが、そのフライ製作に当たっては、専用のフライタイイングバイスにフライフック（釣り鉤）を挟み止めて後に、鳥の羽根や獣毛などのマテリアル（材料）をスレッド（糸）を用いて水棲昆虫や陸生昆虫、魚などに模したフライを製作する。その際に前記したフライフックにマテリアルをスレッドで巻き付ける加工道具として、図５に示すウィップフィニッシャーが提供されている。【０００３】  このウィップフィニッシャー１は、細い軸棒３の一方端部に回転つまみ管６を設けた端部に、延長するセンターフック１２付き針金１１を取り付け、その軸棒３の根元部位には、前記軸棒３に対して略直角状を成すサイドフック１０付き針金１１を設けたものであり、使用する際は前記した二つのフックにスレッドを掛けながら、タイイングバイスに挟み止めたフライフックにマテリアルを機能的に巻き留めたり、製作中の仮留めや最終仕上げに用いられる加工道具であり、マテリアルの大きさやフライフックの大きさ、シャンクの長い針や奥深い場所に応じて、センターフック１２とサイドフック１０の間隔が大中小と異なるウィップフィニッシャー１に取り替えながら精度の高いフライを製作している。
【考案の開示】
【考案が解決しようとする課題】
【０００４】  上記するようなウィップフィニッシャーが提供されており、またセンターフックの形状やサイドフック部の形状が多少異なるタイプはあるが、いずれもその目的や機能は果たす加工道具である、しかし、いずれもセンターフックとサイドフックの間隔は大中小いずれも固定されているタイプのみであるため、マテリアル材料の大きさやフライフックの大きさ、シャンクの長い針や奥深い場所に応じて、そのつど最も適した大中小いずれかのウィップフィニッシャーに取り替えて使わなければならないなど、とりわけ慣れない者においては使いにくさや面倒があるウィップフィニッシャーであった。
【課題を解決するための手段】
【０００５】  本考案は上記するような課題を解消するために、請求項１においては、中空穴を有する軸棒の一方寄りに回転自在のつまみ管を取り付けた軸棒端部に、該軸棒に対して直角状にサイドフック付き針金を取り付け、該サイドフック側の前記した中空穴に細い繰り出し穴を有する基部を取り付け、該繰り出し穴に、先端部にセンターフックを後端部に係止部を形成して成る針金を出し入れド自在に組み合わせたウィップフィニッシャーを構成する。【０００６】  請求項２においては、上記する基部に設けた繰り出し穴を略長方形状とし、それに組み合わされるセンターフックの針金の断面が前記繰り出し穴に合う形状とすることで、軸棒に対してセンターフックが回転しないウィップフィニッシャーとする。【０００７】  請求項３においては、上記するサイドフック付き針金を基部に取り付けることにより、製造しやすいウィップフィニッシャーとする。【０００８】  請求項４においては、上記するセンターフック付き針金の係止部が、前記針金を曲げ形成することにより安価に製造することができるウィップフィニッシャーとする。
【考案の効果】
【０００９】  本考案におけるフライ製作用のウィップフィニッシャーは、軸棒端部から延長するセンターフックを伸縮自在にすることができる構成であるため、１本のウィップフィニッシャーのみで、マテリアル材料の大きさやフライフック大きさ、シャンクの長い針や奥深い場所に応じて、センターフックとサイドフックの間隔を最も好ましい長さに任意に設定して使用することができる機能的なウィップフィニッシャーを構成する。【００１０】  そのため従来のように間隔の幅が異なるウィップフィニッシャーを取り揃える必要もなく、１本で全てに対応することが可能となる。したがって慣れた者はもとより初心者でも緻密なスレッド巻き付け作業を連続して容易に行えるので、作業効率がきわめてよいことに加え、その構成も外観的には従来と変わらないシンプルにして扱い易い伸縮式のウィップフィニッシャーを提供できる。
【考案を実施するための最良の形態】
【００１１】  中空穴を有する軸棒の一方端部に繰り出し穴付き基部を取り付け、その基部に前記軸棒に対して略直角状にサイドフック付き針金を取り付けて成る前記基部の繰り出し穴に、一定の長さのセンターフック付き針金を出し入れ自在に組み合わせて成るウィップフィニッシャーを構成する。
【実施例】
【００１２】  本考案におけるウィップフィニッシャーを、図１に示す斜視図と図２に示す一部省略した縦断面図及び図３に示すＡ−Ａ線部拡大断面図を参照して説明する。【００１３】  本実施例におけるウィップフィニッシャー１は、約長さ１５０ミリ、太さ４ミリていどで内部が左右に貫通する中空穴２を有する軸棒３において、前記中空穴２の左右端部に雌ネジ４，４を設け、かつその外面には、一方端部より一定の長さ部位に少し高い縁部５を設けた軸棒３とする。【００１４】  次に前記した縁部５側の軸棒３には、回転つまみ管６を嵌め込んで成る前記雌ネジ４付き中空穴２に、その中空穴２に合う雄ネジ７付き基部８に貫通する繰り出し穴９を設けた前記雄ネジ７の根元に、端部を少し曲げて成るサイドフック１０付き針金１１を巻き付けて固定して成る前記基部８の繰り出し穴９に、前記軸棒３より短い針金１１の一方端部を略Ｕ字形に曲げたセンターフック１２付き針金１１を基部８の繰出し穴９に通して後、その針金１１後部を略波形に曲げ形成した係止部１３を形成した基部８を、前記した軸棒３の回転つまみ管６側の中空穴２にネジ嵌合し、他方側には、雄ネジ７付きキャップ１４を取り付けて本考案によるウィップフィニッシャー１を構成する。尚、前記したサイドフック１０先端部とセンターフック１２の先端部は、互いに反対向きに位置するように形成するものとする。【００１５】  以上のようなウィップフィニッシャー１を構成するので、使用する際に回転つまみ管６を握ると軸棒３はもとより、基部８に取り付けられているサイドフック１０及びセンターフック１２などいずれも一体に回転することに加え、センターフック１２は伸縮自在であるため、センターフック１２とサイドフック１０との間隔を任意に設定して使える。したがって１本のウィップフィニッシャー１でのみであらゆるフライタイイング作業に対応できる。【００１６】  本考案におけるウィップフィニッシャー１は以上のような構成とするが、上記する基部８の繰り出し穴９は丸形で、それにそれに組み合わされるセンターフックｌ２付き針金１１も丸棒とするが、この部分の他の実施例を図４に示すＡ−Ａ部位の断面図に基づいて説明する。本実施例における基部８の繰り出し穴９ａの形状は、丸棒を押しつぶしたような略長方形状とし、それに組み合わされるセンターフック１２付き針金１１ａの断面形状は、前記した略略長方形状の繰り出し穴９ａに合う形状の針金１１ａとする。尚、丸棒の針金１１ａにおいては、少なくとも繰り出し穴９ａをスライドする範囲を押し圧して、断面が前記繰り出し穴９ａに合う略略長方形状を成すセンターフック１２付き針金１１ａを組み合わせた構成とする。【００１７】  本実施例における基部８の繰り出し穴９ａの形状は略長方形状であり、それに組み合わされるセンターフック１２の針金１１ａの断面形状も同じであるため、軸棒３とセンターフック１２は一体化されるので、軸棒３に対してセンターフック１２は回転することなく使えることにより初心者や慣れない者には扱い易い。【００１８】  本考案のウィップフィニッシャー１を構成する基部８及びキャップ１４はネジ嵌合しているが、接着方式でも差し支えない。またサイドフック１０は基部８に取り付けてい���が、軸棒３端部に取り付けてもよい。さらに他の実施例における基部８の繰り出し穴９ａの形状や針金１１ａの断面形状は同じ略長方形状とするが、略四角形状でも略楕円状でも差し支えないものであり、いずれも特に限定するものではない。
【図面の簡単な説明】
【００１９】
【図１】  本考案のウィップフィニッシャーを示す斜視図である。
【図２】  ウィップフィニッシャーの一部省略した縦断面図である。
【図３】  ウィップフィニッシャーのＡ−Ａ線部を示す拡大断面図である。
【図４】  ウィップフィニッシャーのＡ−Ａ線部の他の実施例を示す拡大断面図である。
【図５】  従来のウィップフィニッシャーを示す参考図である。
【符号の説明】
【００２０】１  ウィップフィニッシャー
２  中空穴
３  軸棒
４  雌ネジ
５  縁部
６  回転つまみ管
７  雄ネジ
８  基部
９  繰り出し穴
９ａ  繰り出し穴
１０  サイドフック
１１  針金
１１ａ  針金
１２  センターフック
１３  係止部
１４  キャップ
【図１】
0003102263.tif 000003
【図２】
0003102263.tif 000004
【図３】
0003102263.tif 000005
【図４】
0003102263.tif 000006
【図５】
0003102263.tif 000007